【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
ワイヤレスローカルエリアネットワーク（ＷＬＡＮ）のアクセスポイントによって行われる方法であって、
前記アクセスポイントによって、前記ＷＬＡＮのチャネル上で第１のデバイスから第１のレンジング要求メッセージを受信することと、ここにおいて、前記第１のレンジング要求メッセージは、前記第１のデバイスのデバイス識別子を含む、
前記アクセスポイントによって、第２のデバイスからの第２のレンジング要求メッセージについて前記ＷＬＡＮの前記チャネルをモニタすることと、ここにおいて、前記第２のレンジング要求メッセージは、前記第２のデバイスのデバイス識別子を含む、
前記アクセスポイントによって、応答時間期間中に前記第２のデバイスから前記第２のレンジング要求メッセージを受信することに応答して、前記第１のデバイスの前記デバイス識別子、前記第１のレンジング要求メッセージに関連付けられた第１のタイミング情報、前記第２のデバイスの前記デバイス識別子、および前記第２のレンジング要求メッセージに関連付けられた第２のタイミング情報を組み合わせて、単一のレンジング応答メッセージにすることと、ここにおいて、前記第１および第２のタイミング情報は、それぞれ、前記第１および第２のデバイスによって、ラウンドトリップ時間（ＲＴＴ）測定値を決定するためのものである、
前記応答時間期間の終了に応答して、前記アクセスポイントによって、前記ＷＬＡＮの前記チャネル上で前記単一のレンジング応答メッセージをブロードキャストすることと
を備える、方法。
【請求項２】
前記第１のレンジング要求メッセージを受信することに応答して前記応答時間期間を開始すること
をさらに備える、請求項１に記載の方法。
【請求項３】
前記第２のデバイスからの前記第２のレンジング要求メッセージについて前記ＷＬＡＮの前記チャネルをモニタすることは、前記応答時間期間の前記終了まで前記チャネルをモニタすることを備え、前記方法は、
前記第２のレンジング要求メッセージを含む、いずれの追加のレンジング要求メッセージも受信しないことに応答して、前記第１のデバイスのみの前記デバイス識別子と、前記第１のレンジング要求メッセージのみに関連付けられた前記第１のタイミング情報とを含むように前記単一のレンジング応答メッセージを生成すること
をさらに備える、請求項２に記載の方法。
【請求項４】
前記第１のレンジング要求メッセージおよび前記第２のレンジング要求メッセージは、それぞれ、前記第１および第２のデバイスによって前記ＷＬＡＮの前記チャネル上でブロードキャストされるブロードキャストレンジング要求メッセージであり、前記方法は、前記ＷＬＡＮ内の他のアクセスポイントによってブロードキャストされる他のレンジング応答メッセージとの干渉を低減するために前記応答時間期間をランダム化することをさらに備える、請求項２に記載の方法。
【請求項５】
前記応答時間期間は固定または可変であり、前記応答時間期間が可変であるとき、前記方法は、前記ＷＬＡＮの前記チャネルのアクティビティレベルに基づいて前記応答時間期間を変更することをさらに備え、前記応答時間期間を変更することは、前記チャネル上のより高いアクティビティのレベルを示す、前記チャネルの前記アクティビティレベルがアクティビティレベルしきい値を上回ることに応答して、前記応答時間期間を増加させることを備える、請求項２に記載の方法。
【請求項６】
前記第１のタイミング情報は、前記第１のレンジング要求メッセージが前記アクセスポイントにおいて受信された時間を示すタイムスタンプを備え、前記第２のタイミング情報は、前記第２のレンジング要求メッセージが前記アクセスポイントにおいて受信された時間を示すタイムスタンプを備える、請求項１に記載の方法。
【請求項７】
前記第１のデバイスの前記デバイス識別子は、前記第１のデバイスの媒体アクセス制御（ＭＡＣ）アドレスであり、前記第２のデバイスの前記デバイス識別子は、前記第２のデバイスのＭＡＣアドレスである、請求項１に記載の方法。
【請求項８】
前記アクセスポイントによって、前記単一のレンジング応答メッセージをブロードキャストした後に第２のレンジング応答メッセージをブロードキャストすることをさらに備え、前記第２のレンジング応答メッセージは、前記単一のレンジング応答メッセージが前記アクセスポイントによって前記チャネル上でブロードキャストされた時間を示す、請求項１に記載の方法。
【請求項９】
ワイヤレスローカルエリアネットワーク（ＷＬＡＮ）における使用のためのアクセスポイントであって、
前記アクセスポイントによって、前記ＷＬＡＮのチャネル上で第１のデバイスから第１のレンジング要求メッセージを受信するための手段と、ここにおいて、前記第１のレンジング要求メッセージは、前記第１のデバイスのデバイス識別子を含む、
前記アクセスポイントによって、第２のデバイスからの第２のレンジング要求メッセージについて前記ＷＬＡＮの前記チャネルをモニタするための手段と、ここにおいて、前記第２のレンジング要求メッセージは、前記第２のデバイスのデバイス識別子を含む、
前記アクセスポイントによって、応答時間期間中に前記第２のデバイスから前記第２のレンジング要求メッセージを受信することに応答して、前記第１のデバイスの前記デバイス識別子、前記第１のレンジング要求メッセージに関連付けられた第１のタイミング情報、前記第２のデバイスの前記デバイス識別子、および前記第２のレンジング要求メッセージに関連付けられた第２のタイミング情報を組み合わせて、単一のレンジング応答メッセージにするための手段と、ここにおいて、前記第１および第２のタイミング情報は、それぞれ、前記第１および第２のデバイスによって、ラウンドトリップ時間（ＲＴＴ）測定値を決定するためのものである、
前記応答時間期間の終了に応答して、前記アクセスポイントによって、前記ＷＬＡＮの前記チャネル上で前記単一のレンジング応答メッセージをブロードキャストするための手段と
を備える、アクセスポイント。
【請求項１０】
ワイヤレスローカルエリアネットワーク（ＷＬＡＮ）内のデバイスによって行われる方法であって、
前記デバイスによって、前記ＷＬＡＮのチャネル上で第１のレンジング要求メッセージを送信することと、ここにおいて、前記第１のレンジング要求メッセージは、前記デバイスのデバイス識別子を含む、
前記デバイスによって、応答時間期間の終了に応答して前記ＷＬＡＮの第１のアクセスポイントによって前記チャネル上でブロードキャストされた第１のブロードキャストレンジング応答メッセージを受信することと、ここにおいて、前記第１のブロードキャストレンジング応答メッセージは、
前記デバイスの前記デバイス識別子と、
前記第１のレンジング要求メッセージに関連付けられた第１のタイミング情報と、
前記ＷＬＡＮ内の第２のデバイスのデバイス識別子と、
前記第２のデバイスによって前記ＷＬＡＮの前記チャネル上で送信された第２のレンジング要求メッセージに関連付けられた第２のタイミング情報と
を備える、
前記第１のレンジング要求メッセージと、前記第１のブロードキャストレンジング応答メッセージに含まれる前記第１のタイミング情報とに基づいて、前記第１のアクセスポイントについてのラウンドトリップ時間（ＲＴＴ）測定値を決定することと
を備える、方法。
【請求項１１】
前記ＷＬＡＮの前記チャネル上で前記第１のレンジング要求メッセージを送信することは、前記ＷＬＡＮの前記第１のアクセスポイントに前記第１のレンジング要求メッセージをユニキャストすることを備える、請求項１０に記載の方法。
【請求項１２】
前記第１のタイミング情報は、前記第１のレンジング要求メッセージが前記第１のアクセスポイントにおいて受信された時間を示すタイムスタンプを備え、前記第２のタイミング情報は、前記第２のレンジング要求メッセージが前記第１のアクセスポイントにおいて受信された時間を示すタイムスタンプを備える、請求項１０に記載の方法。
【請求項１３】
前記デバイスにおいて、前記ＷＬＡＮの前記第１のアクセスポイントによって送信された第２のレンジング応答メッセージを受信することをさらに備え、前記第２のレンジング応答メッセージは、前記第１のブロードキャストレンジング応答メッセージが前記第１のアクセスポイントによって前記チャネル上でブロードキャストされた時間を示す、請求項１０に記載の方法。
【請求項１４】
前記第１のレンジング要求メッセージを送信することは、前記ＷＬＡＮの前記チャネル上で前記第１のレンジング要求メッセージをブロードキャストすることを備え、前記方法は、
前記ＷＬＡＮの前記第１のアクセスポイントによって前記チャネル上でブロードキャストされる前記第１のブロードキャストレンジング応答メッセージについて前記ＷＬＡＮの前記チャネルをモニタすることと、
前記第１のレンジング要求メッセージに応答して前記ＷＬＡＮのそれぞれの１つまたは複数の他のアクセスポイントによってブロードキャストされる１つまたは複数の他の第１のブロードキャストレンジング応答メッセージについて前記ＷＬＡＮの前記チャネルをモニタすることと
をさらに備える、請求項１０に記載の方法。
【請求項１５】
前記ＷＬＡＮの前記チャネル上で前記第１のレンジング要求メッセージをブロードキャストすることに応答して待機時間期間を開始すること
をさらに備え、前記第１のブロードキャストレンジング応答メッセージは、前記待機時間期間中に受信され、前記１つまたは複数の他の第１のブロードキャストレンジング応答メッセージについて前記ＷＬＡＮの前記チャネルをモニタすることは、前記待機時間期間の終了まで前記１つまたは複数の他の第１のブロードキャストレンジング応答メッセージについて前記チャネルをモニタすることを備える、請求項１４に記載の方法。
【手続補正２】
【補正対象書類名】明細書
【補正対象項目名】００５８
【補正方法】変更
【補正の内容】
【００５８】
[0067]  先の開示は様々な例示的な態様を示しているが、添付の特許請求の範囲によって定められた範囲から逸脱せずに、例示された例に対して様々な変更および修正がなされ得ることが留意されるべきである。本開示は、具体的に例示されている例のみに限定されるように意図されたものではない。例えば、別途記載されていない限り、本明細書で説明された本開示の態様にしたがう方法の請求項の機能、ステップ、および／またはアクションは、任意の特定の順序で行われる必要はない。さらに、ある特定の態様は、単数形で説明または特許請求され得るが、単数形への限定が明記されていない限り、複数形が企図されている。
以下に本願の出願当初の特許請求の範囲に記載された発明を付記する。
［Ｃ１］  ワイヤレスローカルエリアネットワーク（ＷＬＡＮ）のアクセスポイントによって行われる方法であって、
前記アクセスポイントによって、前記ＷＬＡＮのチャネル上で第１のデバイスから第１のレンジング要求メッセージを受信することと、ここにおいて、前記第１のレンジング要求メッセージは、前記第１のデバイスのデバイス識別子を含む、
前記アクセスポイントによって、第２のデバイスからの第２のレンジング要求メッセージについて前記ＷＬＡＮの前記チャネルをモニタすることと、ここにおいて、前記第２のレンジング要求メッセージは、前記第２のデバイスのデバイス識別子を含む、
前記アクセスポイントによって、前記第２のデバイスから前記第２のレンジング要求メッセージを受信することに応答して、前記第１のデバイスの前記デバイス識別子、前記第１のレンジング要求メッセージに関連付けられた第１のタイミング情報、前記第２のデバイスの前記デバイス識別子、および前記第２のレンジング要求メッセージに関連付けられた第２のタイミング情報を組み合わせて、単一のレンジング応答メッセージにすることと、ここにおいて、前記第１および第２のタイミング情報は、それぞれ、前記第１および第２のデバイスによって、ラウンドトリップ時間（ＲＴＴ）測定値を決定するためのものである、
前記アクセスポイントによって、前記ＷＬＡＮの前記チャネル上で前記単一のレンジング応答メッセージをブロードキャストすることと
を備える、方法。
［Ｃ２］  前記第１のレンジング要求メッセージを受信することに応答して応答時間期間を開始すること
をさらに備え、前記第２のレンジング要求メッセージは、前記応答時間期間中に受信され、前記レンジング応答メッセージをブロードキャストすることは、前記応答時間期間の終了に応答して前記単一のレンジング応答メッセージをブロードキャストすることを含む、Ｃ１に記載の方法。
［Ｃ３］  前記第２のデバイスからの前記第２のレンジング要求メッセージについて前記ＷＬＡＮの前記チャネルをモニタすることは、前記応答時間期間の前記終了まで前記チャネルをモニタすることを備え、前記方法は、
前記第２のレンジング要求メッセージを含む、いずれの追加のレンジング要求メッセージも受信しないことに応答して、前記第１のデバイスのみの前記デバイス識別子と、前記第１のレンジング要求メッセージのみに関連付けられた前記第１のタイミング情報とを含むように前記単一のレンジング応答メッセージを生成すること
をさらに備える、Ｃ２に記載の方法。
［Ｃ４］  前記第１のレンジング要求メッセージおよび前記第２のレンジング要求メッセージは、それぞれ、前記第１および第２のデバイスによって前記ＷＬＡＮの前記チャネル上でブロードキャストされるブロードキャストレンジング要求メッセージであり、前記方法は、前記ＷＬＡＮ内の他のアクセスポイントによってブロードキャストされる他のレンジング応答メッセージとの干渉を低減するために前記応答時間期間をランダム化することをさらに備える、Ｃ２に記載の方法。
［Ｃ５］  前記応答時間期間は固定である、Ｃ２に記載の方法。
［Ｃ６］  前記応答時間期間は可変であり、前記方法は、前記ＷＬＡＮの前記チャネルのアクティビティレベルに基づいて前記応答時間期間を変更することをさらに備える、Ｃ２に記載の方法。
［Ｃ７］  前記応答時間期間を変更することは、前記チャネル上のより高いアクティビティのレベルを示す、前記チャネルの前記アクティビティレベルがアクティビティレベルしきい値を上回ることに応答して、前記応答時間期間を増加させることを備える、Ｃ６に記載の方法。
［Ｃ８］  前記第１のタイミング情報は、前記第１のレンジング要求メッセージが前記アクセスポイントにおいて受信された時間を示すタイムスタンプを備え、前記第２のタイミング情報は、前記第２のレンジング要求メッセージが前記アクセスポイントにおいて受信された時間を示すタイムスタンプを備える、Ｃ１に記載の方法。
［Ｃ９］  前記第１のデバイスの前記デバイス識別子は、前記第１のデバイスの媒体アクセス制御（ＭＡＣ）アドレスであり、前記第２のデバイスの前記デバイス識別子は、前記第２のデバイスのＭＡＣアドレスである、Ｃ１に記載の方法。
［Ｃ１０］  前記アクセスポイントによって、前記単一のレンジング応答メッセージをブロードキャストした後に第２のレンジング応答メッセージをブロードキャストすることをさらに備え、前記第２のレンジング応答メッセージは、前記単一のレンジング応答メッセージが前記アクセスポイントによって前記チャネル上でブロードキャストされた時間を示す、Ｃ１に記載の方法。
［Ｃ１１］  ワイヤレスローカルエリアネットワーク（ＷＬＡＮ）における使用のためのアクセスポイントであって、
少なくとも１つのプロセッサと、
前記少なくとも１つのプロセッサに結合された少なくとも１つのメモリと
を備え、前記少なくとも１つのプロセッサおよび前記少なくとも１つのメモリは、前記アクセスポイントに、
前記ＷＬＡＮのチャネル上で第１のデバイスから第１のレンジング要求メッセージを受信することと、ここにおいて、前記第１のレンジング要求メッセージは、前記第１のデバイスのデバイス識別子を含む、
第２のデバイスからの第２のレンジング要求メッセージについて前記ＷＬＡＮの前記チャネルをモニタすることと、ここにおいて、前記第２のレンジング要求メッセージは、前記第２のデバイスのデバイス識別子を含む、
前記第２のデバイスから前記第２のレンジング要求メッセージを受信することに応答して、前記第１のデバイスの前記デバイス識別子、前記第１のレンジング要求メッセージに関連付けられた第１のタイミング情報、前記第２のデバイスの前記デバイス識別子、および前記第２のレンジング要求メッセージに関連付けられた第２のタイミング情報を組み合わせて、単一のレンジング応答メッセージにすることと、ここにおいて、前記第１および第２のタイミング情報は、それぞれ、前記第１および第２のデバイスによって、ラウンドトリップ時間（ＲＴＴ）測定値を決定するためのものである、
前記ＷＬＡＮの前記チャネル上で前記単一のレンジング応答メッセージをブロードキャストすることと
を行うことを指示するように構成された、アクセスポイント。
［Ｃ１２］  前記少なくとも１つのプロセッサおよび前記少なくとも１つのメモリは、前記アクセスポイントに、
前記第１のレンジング要求メッセージを受信することに応答して応答時間期間を開始すること
を行うことを指示するようにさらに構成され、前記第２のレンジング要求メッセージは、前記応答時間期間中に受信され、前記レンジング応答メッセージをブロードキャストすることは、前記応答時間期間の終了に応答して前記レンジング応答メッセージをブロードキャストすることを含む、Ｃ１１に記載のアクセスポイント。
［Ｃ１３］  前記少なくとも１つのプロセッサおよび前記少なくとも１つのメモリは、前記アクセスポイントに、
前記応答時間期間の前記終了まで、前記第２のレンジング要求メッセージを含む１つまたは複数の追加のレンジング要求メッセージについて前記ＷＬＡＮの前記チャネルをモニタすることと、
前記第２のレンジング要求メッセージを含む、いずれの追加のレンジング要求メッセージも受信しないことに応答して、前記第１のデバイスのみの前記デバイス識別子と、前記第１のレンジング要求メッセージのみに関連付けられた前記第１のタイミング情報とを含むように前記単一のレンジング応答メッセージを生成することと
を行うことを指示するようにさらに構成された、Ｃ１２に記載のアクセスポイント。
［Ｃ１４］  前記第１のレンジング要求メッセージおよび前記第２のレンジング要求メッセージは、それぞれ、前記第１および第２のデバイスによって前記ＷＬＡＮの前記チャネル上でブロードキャストされるブロードキャストレンジング要求メッセージであり、前記少なくとも１つのプロセッサおよび前記少なくとも１つのメモリは、前記アクセスポイントに、前記ＷＬＡＮ内の他のアクセスポイントによってブロードキャストされる他のレンジング応答メッセージとの干渉を低減するために前記応答時間期間をランダム化することを指示するようにさらに構成された、Ｃ１２に記載のアクセスポイント。
［Ｃ１５］  前記応答時間期間は可変であり、前記少なくとも１つのプロセッサおよび前記少なくとも１つのメモリは、前記アクセスポイントに、前記ＷＬＡＮの前記チャネルのアクティビティレベルに基づいて前記応答時間期間を変更することを指示するようにさらに構成された、Ｃ１２に記載のアクセスポイント。
［Ｃ１６］  前記少なくとも１つのプロセッサおよび前記少なくとも１つのメモリは、前記アクセスポイントに、前記チャネル上のより高いアクティビティのレベルを示す、前記チャネルの前記アクティビティレベルがアクティビティレベルしきい値を上回ることに応答して、前記応答時間期間を増加させることを指示するようにさらに構成された、Ｃ１５に記載のアクセスポイント。
［Ｃ１７］  前記第１のタイミング情報は、前記第１のレンジング要求メッセージが前記アクセスポイントにおいて受信された時間を示すタイムスタンプを備え、前記第２のタイミング情報は、前記第２のレンジング要求メッセージが前記アクセスポイントにおいて受信された時間を示すタイムスタンプを備える、Ｃ１１に記載のアクセスポイント。
［Ｃ１８］  前記第１のデバイスの前記デバイス識別子は、前記第１のデバイスの媒体アクセス制御（ＭＡＣ）アドレスであり、前記第２のデバイスの前記デバイス識別子は、前記第２のデバイスのＭＡＣアドレスである、Ｃ１１に記載のアクセスポイント。
［Ｃ１９］  前記少なくとも１つのプロセッサおよび前記少なくとも１つのメモリは、前記アクセスポイントに、前記単一のレンジング応答メッセージをブロードキャストした後に第２のレンジング応答メッセージをブロードキャストすることを指示するようにさらに構成され、前記第２のレンジング応答メッセージは、前記単一のレンジング応答メッセージが前記アクセスポイントによって前記チャネル上でブロードキャストされた時間を示す、Ｃ１１に記載のアクセスポイント。
［Ｃ２０］  ワイヤレスローカルエリアネットワーク（ＷＬＡＮ）における使用のためのアクセスポイントであって、
前記アクセスポイントによって、前記ＷＬＡＮのチャネル上で第１のデバイスから第１のレンジング要求メッセージを受信するための手段と、ここにおいて、前記第１のレンジング要求メッセージは、前記第１のデバイスのデバイス識別子を含む、
前記アクセスポイントによって、第２のデバイスからの第２のレンジング要求メッセージについて前記ＷＬＡＮの前記チャネルをモニタするための手段と、ここにおいて、前記第２のレンジング要求メッセージは、前記第２のデバイスのデバイス識別子を含む、
前記アクセスポイントによって、前記第２のデバイスから前記第２のレンジング要求メッセージを受信することに応答して、前記第１のデバイスの前記デバイス識別子、前記第１のレンジング要求メッセージに関連付けられた第１のタイミング情報、前記第２のデバイスの前記デバイス識別子、および前記第２のレンジング要求メッセージに関連付けられた第２のタイミング情報を組み合わせて、単一のレンジング応答メッセージにするための手段と、ここにおいて、前記第１および第２のタイミング情報は、それぞれ、前記第１および第２のデバイスによって、ラウンドトリップ時間（ＲＴＴ）測定値を決定するためのものである、
前記アクセスポイントによって、前記ＷＬＡＮの前記チャネル上で前記単一のレンジング応答メッセージをブロードキャストするための手段と
を備える、アクセスポイント。
［Ｃ２１］  前記第１のレンジング要求メッセージを受信することに応答して応答時間期間を開始するための手段
をさらに備え、前記第２のレンジング要求メッセージは、前記応答時間期間中に受信され、前記レンジング応答メッセージをブロードキャストするための前記手段は、前記応答時間期間の終了に応答して前記レンジング応答メッセージをブロードキャストするための手段を含む、Ｃ２０に記載のアクセスポイント。
［Ｃ２２］  ワイヤレスローカルエリアネットワーク（ＷＬＡＮ）内のデバイスによって行われる方法であって、
前記デバイスによって、前記ＷＬＡＮのチャネル上で第１のレンジング要求メッセージを送信することと、ここにおいて、前記第１のレンジング要求メッセージは、前記デバイスのデバイス識別子を含む、
前記デバイスによって、前記第１のレンジング要求メッセージに応答して前記ＷＬＡＮの第１のアクセスポイントによって前記チャネル上でブロードキャストされた第１のブロードキャストレンジング応答メッセージを受信することと、ここにおいて、前記第１のブロードキャストレンジング応答メッセージは、
前記デバイスの前記デバイス識別子と、
前記第１のレンジング要求メッセージに関連付けられた第１のタイミング情報と、    前記ＷＬＡＮ内の第２のデバイスのデバイス識別子と、
前記第２のデバイスによって前記ＷＬＡＮの前記チャネル上で送信された第２のレンジング要求メッセージに関連付けられた第２のタイミング情報と
を備える、
前記第１のレンジング要求メッセージと、前記第１のブロードキャストレンジング応答メッセージに含まれる前記第１のタイミング情報とに基づいて、前記第１のアクセスポイントについてのラウンドトリップ時間（ＲＴＴ）測定値を決定することと
を備える、方法。
［Ｃ２３］  前記ＷＬＡＮの前記チャネル上で前記第１のレンジング要求メッセージを送信することは、前記ＷＬＡＮの前記第１のアクセスポイントに前記第１のレンジング要求メッセージをユニキャストすることを備える、Ｃ２２に記載の方法。
［Ｃ２４］  前記第１のタイミング情報は、前記第１のレンジング要求メッセージが前記第１のアクセスポイントにおいて受信された時間を示すタイムスタンプを備え、前記第２のタイミング情報は、前記第２のレンジング要求メッセージが前記第１のアクセスポイントにおいて受信された時間を示すタイムスタンプを備える、Ｃ２２に記載の方法。
［Ｃ２５］  前記デバイスの前記デバイス識別子は、前記デバイスの媒体アクセス制御（ＭＡＣ）アドレスであり、前記第２のデバイスの前記デバイス識別子は、前記第２のデバイスのＭＡＣアドレスである、Ｃ２２に記載の方法。
［Ｃ２６］  前記デバイスにおいて、前記ＷＬＡＮの前記第１のアクセスポイントによって送信された第２のレンジング応答メッセージを受信することをさらに備え、前記第２のレンジング応答メッセージは、前記第１のブロードキャストレンジング応答メッセージが前記第１のアクセスポイントによって前記チャネル上でブロードキャストされた時間を示す、Ｃ２２に記載の方法。
［Ｃ２７］  前記第１のレンジング要求メッセージを送信することは、前記ＷＬＡＮの前記チャネル上で前記第１のレンジング要求メッセージをブロードキャストすることを備え、前記方法は、
前記ＷＬＡＮの前記第１のアクセスポイントによって前記チャネル上でブロードキャストされる前記第１のブロードキャストレンジング応答メッセージについて前記ＷＬＡＮの前記チャネルをモニタすることと、
前記第１のレンジング要求メッセージに応答して前記ＷＬＡＮのそれぞれの１つまたは複数の他のアクセスポイントによってブロードキャストされる１つまたは複数の他の第１のブロードキャストレンジング応答メッセージについて前記ＷＬＡＮの前記チャネルをモニタすることと
をさらに備える、Ｃ２２に記載の方法。
［Ｃ２８］  前記ＷＬＡＮの前記チャネル上で前記第１のレンジング要求メッセージをブロードキャストすることに応答して待機時間期間を開始すること
をさらに備え、前記第１のブロードキャストレンジング応答メッセージは、前記待機時間期間中に受信され、前記１つまたは複数の他の第１のブロードキャストレンジング応答メッセージについて前記ＷＬＡＮの前記チャネルをモニタすることは、前記待機時間期間の終了まで前記１つまたは複数の他の第１のブロードキャストレンジング応答メッセージについて前記チャネルをモニタすることを備える、Ｃ２７に記載の方法。
［Ｃ２９］  前記待機時間期間は可変であり、前記方法は、前記チャネルのアクティビティレベルに基づいて前記待機時間期間を変更することをさらに備える、Ｃ２８に記載の方法。
［Ｃ３０］  前記ＷＬＡＮの複数のチャネルの各々について、前記ブロードキャストすることと、前記モニタすることと、前記決定することとを繰り返すことをさらに備える、Ｃ２２に記載の方法。